(57)【要約】【課題】移動通信システムが有する複数の無線アクセスネットワークシステム毎に、観測対象区域を区分けして無線環境データをデータベース化する際に、区画サイズを適切に決定して効率的な無線環境データベースを生成することを図る。【解決手段】ＲＡＮ毎に、観測対象区域内のデータ収集場所およびデータ収集時刻が特定された無線環境データを収集するデータ収集部１５と、ＲＡＮ毎、且つ、観測対象区域の区画毎に、無線環境データを蓄積する無線環境ＤＢ部１３、ＲＡＮ毎、且つ、観測対象区域の区画毎に、無線環境データを用いて無線環境変化指数を算出する無線環境変化指数算出部２１と、ＲＡＮ毎に、無線環境変化指数に基づいて、区画サイズを更新して観測対象区域を区分けし直す区画更新部２２と、を備える。【選択図】図１
2015070577.tif 000002
【特許請求の範囲】
【請求項１】
移動通信システムが有する複数の無線アクセスネットワークシステム毎に、観測対象区域を区分けして無線環境データを蓄積する無線環境データベースを生成する無線環境データベース生成装置であり、
無線アクセスネットワークシステム毎に、観測対象区域内のデータ収集場所およびデータ収集時刻が特定された無線環境データを収集するデータ収集部と、
無線アクセスネットワークシステム毎、且つ、観測対象区域の区画毎に、無線環境データを蓄積する無線環境データベース部と、
無線アクセスネットワークシステム毎、且つ、観測対象区域の区画毎に、無線環境データを用いて無線環境変化指数を算出する無線環境変化指数算出部と、
無線アクセスネットワークシステム毎に、無線環境変化指数に基づいて、区画サイズを更新して観測対象区域を区分けし直す区画更新部と、
を備えたことを特徴とする無線環境データベース生成装置。
【請求項２】
前記区画更新部は、無線環境変化指数に基づいて、無線環境の変化の大きさが基準よりも大きい場合に当該区画に対して区画サイズを初期値よりも小さくし、一方、無線環境の変化の大きさが基準以下におさまっている場合に当該区画に対して区画サイズを初期値にする、
ことを特徴とする請求項１に記載の無線環境データベース生成装置。
【請求項３】
前記区画更新部は、全ての無線アクセスネットワークシステムにおいて、無線環境変化指数に基づいて無線環境の変化の大きさが基準よりも大きい場合には、区画サイズをさらに小さくする、
ことを特徴とする請求項２に記載の無線環境データベース生成装置。
【請求項４】
前記区画更新部は、無線環境変化指数に基づいて、無線環境が基準よりも悪化した場合に当該区画に対して区画サイズを初期値よりも小さくし、一方、無線環境が基準以上に良化した場合に当該区画に対して区画サイズを初期値にする、
ことを特徴とする請求項１に記載の無線環境データベース生成装置。
【請求項５】
前記区画更新部は、全ての無線アクセスネットワークシステムにおいて、無線環境変化指数に基づいて無線環境が基準よりも悪化した場合には、区画サイズをさらに小さくする、
ことを特徴とする請求項４に記載の無線環境データベース生成装置。
【請求項６】
複数の無線アクセスネットワークシステムを有する移動通信システムにおいて、
請求項１から５のいずれか１項に記載の無線環境データベース生成装置と、
前記無線環境データベース生成装置が生成した無線環境データベースに基づいて、区画毎に、無線端末が使用する無線アクセスネットワークシステムを選択するＲＡＮ選択部と、
を備えたことを特徴とする移動通信システム。
【請求項７】
前記無線端末に対して、前記ＲＡＮ選択部が選択した無線アクセスネットワークシステム以外の無線アクセスネットワークシステムに係る無線通信手段をアイドル状態または停波状態にさせることを特徴とする請求項６に記載の移動通信システム。
【請求項８】
前記無線端末に対して、デフォルトの無線アクセスネットワークシステムを設定し、デフォルト以外の無線アクセスネットワークシステムに係る無線通信手段を電源オフ状態にさせておくことを特徴とする請求項６または７に記載の移動通信システム。
【請求項９】
移動通信システムが有する複数の無線アクセスネットワークシステム毎に、観測対象区域を区分けして無線環境データを蓄積する無線環境データベースを生成する無線環境データベース生成処理を行うためのコンピュータプログラムであって、
無線アクセスネットワークシステム毎に、観測対象区域内のデータ収集場所およびデータ収集時刻が特定された無線環境データを収集するステップと、
無線アクセスネットワークシステム毎、且つ、観測対象区域の区画毎に、無線環境データを無線環境データベースに蓄積するステップと、
無線アクセスネットワークシステム毎、且つ、観測対象区域の区画毎に、無線環境データを用いて無線環境変化指数を算出するステップと、
無線アクセスネットワークシステム毎に、無線環境変化指数に基づいて、区画サイズを更新して観測対象区域を区分けし直すステップと、
をコンピュータに実行させるためのコンピュータプログラム。
【発明の詳細な説明】
【技術分野】
【０００１】
本発明は、無線環境データベース生成装置、移動通信システム、及びコンピュータプログラムに関する。
【背景技術】
【０００２】
従来、複数の無線アクセスネットワークシステム（Radio Access Network system：ＲＡＮ）を有する移動通信システムが知られている（例えば、特許文献１参照）。図９は、ヘテロジニアス無線ネットワーク（Heterogeneous wireless network）と呼ばれる、従来の移動通信システムの概略構成図である。図９においては、マクロセル（Macro cell）を提供するマクロセル基地局２００ａを有するＲＡＮと、マイクロセル（Micro cell）を提供するマイクロセル基地局２００ｂを有するＲＡＮと、ピコセル（Pico cell）を提供するピコセル基地局２００ｃを有するＲＡＮとが示されている。各セルは重複部分を有する。マルチモードマルチ無線方式を有する端末装置（Multi-mode, multi-transmission SS (subscriber station)）である無線端末３００は、セル重複部分において、重複するセルに対応するＲＡＮのいずれかをセレクター１１０により選択して利用することができる。
【０００３】
複数のＲＡＮを利用可能な状況下で無線端末がどのＲＡＮを利用するのかを決める際には、各ＲＡＮの効率性や信頼性などを検証するために、無線端末が在る場所における各ＲＡＮの無線環境を把握することが行われる。このために、各ＲＡＮの無線環境データを位置ごとにデータベース化している（例えば、特許文献２参照）。
【先行技術文献】
【特許文献】
【０００４】
【特許文献１】特開２００８−１６７２８５号公報
【特許文献２】特開２００８−３０６２４０号公報
【発明の概要】
【発明が解決しようとする課題】
【０００５】
しかし、上述した従来の無線環境データベース化技術では、観測対象区域を区分けして無線環境データをデータベースに蓄積する際に、区画サイズを小さくすればするほど精細なデータベースを生成することができるが、その分、レコード数が増大する。この結果、記憶容量の増大によるコスト高や、無線環境データを統計処理する際の演算量の増大などの不都合が生じやすい。
【０００６】
本発明は、このような事情を考慮してなされたもので、移動通信システムが有する複数の無線アクセスネットワークシステム毎に、観測対象区域を区分けして無線環境データをデータベース化する際に、区画サイズを適切に決定して効率的な無線環境データベースを生成することができる無線環境データベース生成装置およびコンピュータプログラムを提供することを課題とする。
【０００７】
また、本発明は、本発明の無線環境データベース生成装置を備えた移動通信システムを提供することを課題とする。
【課題を解決するための手段】
【０００８】
上記の課題を解決するために、本発明に係る無線環境データベース生成装置は、移動通信システムが有する複数の無線アクセスネットワークシステム毎に、観測対象区域を区分けして無線環境データを蓄積する無線環境データベースを生成する無線環境データベース生成装置であり、無線アクセスネットワークシステム毎に、観測対象区域内のデータ収集場所およびデータ収集時刻が特定された無線環境データを収集するデータ収集部と、無線アクセスネットワークシステム毎、且つ、観測対象区域の区画毎に、無線環境データを蓄積する無線環境データベース部と、無線アクセスネットワークシステム毎、且つ、観測対象区域の区画毎に、無線環境データを用いて無線環境変化指数を算出する無線環境変化指数算出部と、無線アクセスネットワークシステム毎に、無線環境変化指数に基づいて、区画サイズを更新して観測対象区域を区分けし直す区画更新部と、を備えたことを特徴とする。
【０００９】
本発明に係る無線環境データベース生成装置において、前記区画更新部は、無線環境変化指数に基づいて、無線環境の変化の大きさが基準よりも大きい場合に当該区画に対して区画サイズを初期値よりも小さくし、一方、無線環境の変化の大きさが基準以下におさまっている場合に当該区画に対して区画サイズを初期値にする、ことを特徴とする。
【００１０】
本発明に係る無線環境データベース生成装置において、前記区画更新部は、全ての無線アクセスネットワークシステムにおいて、無線環境変化指数に基づいて無線環境の変化の大きさが基準よりも大きい場合には、区画サイズをさらに小さくする、ことを特徴とする。
【００１１】
本発明に係る無線環境データベース生成装置において、前記区画更新部は、無線環境変化指数に基づいて、無線環境が基準よりも悪化した場合に当該区画に対して区画サイズを初期値よりも小さくし、一方、無線環境が基準以上に良化した場合に当該区画に対して区画サイズを初期値にする、ことを特徴とする。
【００１２】
本発明に係る無線環境データベース生成装置において、前記区画更新部は、全ての無線アクセスネットワークシステムにおいて、無線環境変化指数に基づいて無線環境が基準よりも悪化した場合には、区画サイズをさらに小さくする、ことを特徴とする。
【００１３】
本発明に係る移動通信システムは、複数の無線アクセスネットワークシステムを有する移動通信システムにおいて、上述のいずれかの無線環境データベース生成装置と、前記無線環境データベース生成装置が生成した無線環境データベースに基づいて、区画毎に、無線端末が使用する無線アクセスネットワークシステムを選択するＲＡＮ選択部と、を備えたことを特徴とする。
【００１４】
本発明に係る移動通信システムにおいては、前記無線端末に対して、前記ＲＡＮ選択部が選択した無線アクセスネットワークシステム以外の無線アクセスネットワークシステムに係る無線通信手段をアイドル状態または停波状態にさせることを特徴とする。
【００１５】
本発明に係る移動通信システムにおいては、前記無線端末に対して、デフォルトの無線アクセスネットワークシステムを設定し、デフォルト以外の無線アクセスネットワークシステムに係る無線通信手段を電源オフ状態にさせておくことを特徴とする。
【００１６】
本発明に係るコンピュータプログラムは、移動通信システムが有する複数の無線アクセスネットワークシステム毎に、観測対象区域を区分けして無線環境データを蓄積する無線環境データベースを生成する無線環境データベース生成処理を行うためのコンピュータプログラムであって、無線アクセスネットワークシステム毎に、観測対象区域内のデータ収集場所およびデータ収集時刻が特定された無線環境データを収集するステップと、無線アクセスネットワークシステム毎、且つ、観測対象区域の区画毎に、無線環境データを無線環境データベースに蓄積するステップと、無線アクセスネットワークシステム毎、且つ、観測対象区域の区画毎に、無線環境データを用いて無線環境変化指数を算出するステップと、無線アクセスネットワークシステム毎に、無線環境変化指数に基づいて、区画サイズを更新して観測対象区域を区分けし直すステップと、をコンピュータに実行させるためのコンピュータプログラムであることを特徴とする。
これにより、前述の無線環境データベース生成装置がコンピュータを利用して実現できるようになる。
【発明の効果】
【００１７】
本発明によれば、移動通信システムが有する複数の無線アクセスネットワークシステム毎に、観測対象区域を区分けして無線環境データをデータベース化する際に、区画サイズを適切に決定して効率的な無線環境データベースを生成することができるという効果が得られる。
【図面の簡単な説明】
【００１８】
【図１】本発明の一実施形態に係る移動通信システムにおけるネットワーク側の装置構成を示す概略図である。
【図２】同実施形態に係る移動通信システムにおける端末側の装置構成を示す概略図である。
【図３】図１に示す無線環境ＤＢ部１３の構成例である。
【図４】本発明の一実施形態に係る無線環境ＤＢ生成処理のフローチャートである。
【図５】本発明の一実施形態に係る観測対象区域の区分けの例である。
【図６】本発明の一実施形態に係る無線環境変化指数Ｖａｒｉｎｄｅｘの例である。
【図７】図１に示すＲＡＮセレクター３０とフォーマット変換部１４との間で無線環境データを交換するときのフォーマットの例である。
【図８】本発明の一実施形態に係る実施例１を説明するための概念図である。
【図９】従来の移動通信システムの概略構成図である。
【発明を実施するための形態】
【００１９】
以下、図面を参照し、本発明の実施形態について説明する。
図１は、本発明の一実施形態に係る移動通信システムにおけるネットワーク側の装置構成を示す概略図である。図２は、同実施形態に係る移動通信システムにおける端末側の装置構成を示す概略図である。図１において、ネットワーク再構築管理装置（Network Reconfiguration Manager：ＮＲＭ）１は、無線環境データベース生成装置（無線環境ＤＢ生成装置）１０とＲＡＮセレクター３０とを備える。
【００２０】
ＮＲＭ１は、複数の無線アクセスネットワークシステム（ＲＡＮ）のうちから無線端末が利用するＲＡＮをＲＡＮセレクター３０で選択する。ＮＲＭ１は、端末装置の再構成管理装置（Terminal Reconfiguration Manager：ＴＲＭ）と情報を交換する。図１の例では、３つのＲＡＮ＃１、＃２、＃３が利用可能である。ＮＲＭ１は、各ＲＡＮ＃１、＃２、＃３の無線環境データを無線アクセスネットワーク計測データ収集装置（RAN Measurement Collector：ＲＭＣ）から受信する。また、ＮＲＭ１は、無線リソース制御装置（Radio Resource Controller：ＲＲＣ）とデータを送受する。
【００２１】
無線環境ＤＢ生成装置１０は、地図ＤＢ部１１とデータベース生成部１２と無線環境ＤＢ部１３とフォーマット変換部１４とデータ収集部１５と仮想ＭＡＣデータベース部（仮想ＭＡＣＤＢ部）１６とを備える。
【００２２】
地図ＤＢ部１１は、観測対象区域の地図データを格納する。地図データは、３次元または２次元の地理地図である。地図系としては、例えば、ＧＰＳ（Global Positioning System）との親和性がよく、測量で標準的に使用されている測地系である世界測地系（World Geodetic System1984: WGS84、GPS）を利用することが挙げられる。本実施形態では、地理座標（緯度、経度、高度（標高））の標示はWGS84の規定に従う。地図データは、地理に変化があった場合には適時に更新されることが好ましい。
【００２３】
データベース生成部１２は、無線環境ＤＢ部１３に対して、無線環境データベース（無線環境ＤＢ）を生成するための処理を行う。無線環境ＤＢは、移動通信システムが有する複数のＲＡＮ毎に、観測対象区域を区分けして無線環境データを蓄積する。
【００２４】
データベース生成部１２は、無線環境変化指数算出部２１と区画更新部２２とを有する。無線環境変化指数算出部２１は、ＲＡＮ毎、且つ、観測対象区域の区画毎に、無線環境データを用いて無線環境変化指数を算出する。区画更新部２２は、ＲＡＮ毎に、無線環境変化指数に基づいて、区画サイズを更新して観測対象区域を区分けし直す。
【００２５】
無線環境ＤＢ部１３は、データベース生成部１２からの制御に従って、ＲＡＮ毎に、観測対象区域を区分けして無線環境データをデータベース化する。フォーマット変換部１４は、ＲＡＮセレクター３０からの要求に応じて、無線環境ＤＢ部１３から無線環境データを読み出しフォーマット変換してＲＡＮセレクター３０へ出力する。
【００２６】
データ収集部１５は、ＲＭＣから、各ＲＡＮ＃１、＃２、＃３の無線環境データを受信する。仮想ＭＡＣＤＢ部１６は、無線端末がネットワーク側とリンクを確立する際に使用する仮想ＭＡＣアドレスを格納する。仮想ＭＡＣアドレスは、ＲＡＮ毎に付与される。
【００２７】
図３は、本実施形態に係る無線環境ＤＢ部１３の構成例である。無線環境データは、無線アクセスネットワークシステム毎に、観測対象区域内のデータ収集場所およびデータ収集時刻（Time of data collecting）が特定されている。以下に、無線環境データのフォーマットの例を示す。
｛データ収集場所＜データ収集時刻、無線環境情報＃１、無線環境情報＃２、・・・、基地局またはアクセスポイントの識別子（ＢＳ＿ＩＤ）、端末識別子（ＳＳ＿ＩＤ）｝
【００２８】
データ収集場所は、３次元座標（ｘｉ，ｙｉ，ｚｉ；ｘｉは緯度、ｙｉは経度、ｚｉは高度）で示される。無線環境情報としては、例えば、ＲＳＳＩ（Received Signal Strength Indicator：受信信号強度（dbm））、通信遅延時間（ミリ秒）、無線伝搬遅延プロファイル、無線リソースの使用率、利用可能な無線リソース率などが挙げられる。
【００２９】
図３において、無線環境ＤＢは、「ファイル（Ｆｉｌｅ）」と「レコード（Ｒｅｃｏｒｄ）」と「フィールド（Ｆｉｅｌｄ）」とから成る３層構造である。具体例としてMySQLと呼ばれる種類のデータベースを挙げて説明すると、無線環境ＤＢは、「．ｃｓｖ」というファイルと、「レコード」という行、「フィールド（Ｆｉｅｌｄ）」という列とで「．ｃｓｖ  ｆｉｌｅ」の形で保存される。
【００３０】
ファイルは、ＲＡＮ毎、且つ、観測対象区域の区画毎に、生成される。ファイルには、当該ＲＡＮの当該区画内で収集された無線環境データが格納される。
【００３１】
次に、図４を参照して、本実施形態に係る無線環境ＤＢ生成処理を説明する。図４は、本実施形態に係る無線環境ＤＢ生成処理のフローチャートである。
【００３２】
（ステップＳ１）データベース生成部１２は、地図ＤＢ部１１から観測対象区域の地図データを読み出す。次いで、データベース生成部１２は、観測対象区域に対して、区画サイズの初期値を設定する。区画サイズの初期値は、予め一律に設定されていてもよく、或いは、観測対象区域の地図データから取得した観測対象区域の地理的特徴に応じてそれぞれ所定の初期値を設定してもよい。地理的特徴としては、例えば、高層ビルの多い都心部（平坦でない都市部）、住宅街または商業施設が点在する郊外（平坦な都市部）、長閑な田舎（地方部）、などが挙げられる。次いで、データベース生成部１２は、観測対象区域の地図データを用いて、観測対象区域を区画サイズで区分けする。次いで、データベース生成部１２は、観測対象区域を区分けした結果である各区画を特定する座標データを無線環境ＤＢ部１３に出力する。
【００３３】
図５は、本実施形態に係る観測対象区域の区分けの例である。ここでは、区画の形状は正方形であり、区画サイズの初期値は区画の一辺の長さａであるとする。図５の例では、ステップＳ１による最初の区分けによって、観測対象区域は、一辺の長さがａである区画により４個の区画に区分けされている。
【００３４】
（ステップＳ２）無線環境ＤＢ部１３は、データベース生成部１２から入力された座標データによって観測対象区域内の区画を特定し、ＲＡＮ毎、且つ、区画毎に、無線環境データを無線環境ＤＢに蓄積する。各ＲＡＮの無線環境データは、データ収集部１５によって収集されたものが無線環境ＤＢ部１３に入力される。
【００３５】
（ステップＳ３）データベース生成部１２は、区画サイズの更新タイミングであるか否かを判定する。区画サイズの更新タイミングは、一定の周期である。区画サイズの更新タイミングである場合にはステップＳ４に進み、区画サイズの更新タイミングではない場合にはステップＳ２に戻る。
【００３６】
（ステップＳ４）データベース生成部１２において、無線環境変化指数算出部２１は、ＲＡＮ毎、且つ、観測対象区域の区画毎に、無線環境ＤＢ部１３内の無線環境データを用いて無線環境変化指数を算出する。無線環境変化指数は、例えば、式（１）で定義される。式（１）では、無線環境情報としてＲＳＳＩを用いている。
【００３７】
【数１】
2015070577.tif 000003
【００３８】
但し、Ｖａｒｉｎｄｅｘは無線環境変化指数である。ｍは、無線環境変化指数を算出する対象の期間内に存在する無線環境データの総数である。ＲＳＳＩｌｓ、ＲＳＳＩｈｓ及びＲＳＳＩｔｈｒｅｓｈｏｌｄはそれぞれＲＳＳＩの所定の閾値である。ＲＳＳＩｌｓ、ＲＳＳＩｈｓは、二つのＲＳＳＩ閾値を有する場合の、下の閾値（lower threshold）、上の閾値（higher threshold）である。ＲＳＳＩｔｈｒｅｓｈｏｌｄは閾値が一個のみの場合の閾値である。
【００３９】
なお、式（１）ではＲＳＳＩを用いているが、他の無線環境情報（通信遅延時間、無線伝搬遅延プロファイル、無線リソースの使用率、利用可能な無線リソース率など）を用いてもよい。
【００４０】
（ステップＳ５）データベース生成部１２において、区画更新部２２は、ＲＡＮ毎、且つ、観測対象区域の区画毎に、無線環境変化指数に基づいて区画サイズの更新の要否を判定する。区画サイズの更新が必要な場合にはステップＳ７に進み、区画サイズの更新が不要な場合にはステップＳ２に戻る。
【００４１】
（ステップＳ７）区画更新部２２は、ＲＡＮ毎に、区画サイズの更新が必要な区画（更新対象区画）に対して、区画を更新し、地図データを用いて、更新対象区画を更新後の区画サイズで区分けし直す。データベース生成部１２は、更新対象区画を区分けし直した結果である各区画を特定する座標データを無線環境ＤＢ部１３に出力する。無線環境ＤＢ部１３は、データベース生成部１２から入力された座標データによって観測対象区域内の更新後の区画を特定し、ＲＡＮ毎に、且つ、更新後の区画毎に、無線環境データを無線環境ＤＢに蓄積する。
【００４２】
ここで、上記ステップＳ５およびＳ７の処理例（ａ）、（ｂ）を以下に示す。
【００４３】
［処理例（ａ）］
区画更新部２２は、無線環境変化指数に基づいて、無線環境の変化の大きさが、基準よりも大きいか、又は、基準以下におさまっているかを判定する。区画更新部２２は、無線環境の変化の大きさが基準よりも大きい場合に、当該区画に対して区画サイズを初期値よりも小さくする。一方、区画更新部２２は、無線環境の変化の大きさが基準以下におさまっている場合に、当該区画に対して区画サイズを初期値にする。
【００４４】
又、区画更新部２２は、全てのＲＡＮにおいて、無線環境変化指数に基づいて無線環境の変化の大きさが基準よりも大きい場合には、区画サイズをさらに小さくする。例えば、更新後の区画サイズをさらに所定の割合だけ小さくする。
【００４５】
［処理例（ｂ）］
区画更新部２２は、無線環境変化指数に基づいて、無線環境が、基準よりも悪化したか、又は、基準以上に良化したかを判定する。区画更新部２２は、無線環境が基準よりも悪化した場合に、当該区画に対して区画サイズを初期値よりも小さくする。一方、区画更新部２２は、無線環境が基準以上に良化した場合に、当該区画に対して区画サイズを初期値にする。
【００４６】
又、区画更新部２２は、全てのＲＡＮにおいて、無線環境変化指数に基づいて無線環境が基準よりも悪化した場合には、区画サイズをさらに小さくする。例えば、更新後の区画サイズをさらに所定の割合だけ小さくする。
【００４７】
なお、区画サイズを小さくする方法としては、例えば、初期値から段階的に小さくしてゆくことが挙げられる。具体的には、例えば、図５に示されるように、初期値ａの１／２、次いで１／４、次いで１／８、のように段階的に区画サイズを小さくしてゆくことが挙げられる。段階的に区画サイズを小さくしてゆくときの割合は、任意に設定可能とする。
【００４８】
図６は、本実施形態に係る無線環境変化指数Ｖａｒｉｎｄｅｘの例である。この無線環境変化指数Ｖａｒｉｎｄｅｘは上記式（１）で定義される。したがって、無線環境変化指数Ｖａｒｉｎｄｅｘの値が大きいほどＲＳＳＩが悪化している。
【００４９】
図６において、波形Ｗ１で示される無線環境変化指数Ｖａｒｉｎｄｅｘは、閾値Ｔｈを越えるあたりから急に大きくなり、無線環境の変化が大きいことを示している。このように無線環境の変化が大きい場合には、無線環境の調査を精細に行うことが好ましい。このため、区画サイズを小さくしてきめ細かく無線環境データを蓄積する。
【００５０】
又、波形Ｗ１で示される無線環境変化指数Ｖａｒｉｎｄｅｘは、現在の無線環境変化指数Ｖａｒｉｎｄｅｘが非常に大きく、ＲＳＳＩが非常に悪化している。このように無線環境が悪化した場合には、無線環境の調査を精細に行うことが好ましい。このため、区画サイズを小さくしてきめ細かく無線環境データを蓄積する。
【００５１】
図６において、波形Ｗ２で示される無線環境変化指数Ｖａｒｉｎｄｅｘは、閾値Ｔｈを越えるあたりから大きくなるが、閾値Ｔｈを越えた後に減少に転じて閾値Ｔｈを下回る。これは、何らかの原因でＲＳＳＩが悪化した後に、その原因が解消されてＲＳＳＩが良化したと考えられる。このような無線環境の変化を解析するためには、無線環境の調査を精細に行うことが好ましい。このため、無線環境の変化が大きい場合には、区画サイズを小さくしてきめ細かく無線環境データを蓄積する。その後、無線環境の変化がおさまった場合には、区画サイズを初期値に戻して通常の精度で無線環境データを蓄積する。又は、無線環境が悪化した場合には、区画サイズを小さくしてきめ細かく無線環境データを蓄積する。その後、無線環境が良化した場合には、区画サイズを初期値に戻して通常の精度で無線環境データを蓄積する。
【００５２】
図７は、図１に示すＲＡＮセレクター３０とフォーマット変換部１４との間で無線環境データを交換するときのフォーマットの例である。図７の例は、MySQLに係る例である。フォーマット変換部１４は、ＲＡＮセレクター３０からの要求に応じて、無線環境ＤＢ部１３から無線環境データを読み出しフォーマット変換してＲＡＮセレクター３０へ送信する。
【００５３】
図７（１）は、ＲＡＮセレクター３０がフォーマット変換部１４へ無線環境データを要求するときのフォーマットの例である。ＲＡＮセレクター３０は、無線端末に係るセッション要求に応じて、当該無線端末に適するＲＡＮを問い合わせるためのメッセージをフォーマット変換部１４へ送信する。図７（１）の例では、代表の座標が（ｘ，ｙ）である区画のレコードｒｅｃ＿ｘ＿ｙから、端末識別子（ＳＳ＿ＩＤ）が２である無線環境データの無線環境情報（ＲＳＳＩ）を問い合わせしている。
【００５４】
図７（２）は、フォーマット変換部１４がＲＡＮセレクター３０からの無線環境データの要求に回答するときのフォーマットの例である。フォーマット変換部１４は、ＲＡＮセレクター３０から受信した問い合わせメッセージに応じて、当該無線端末に適したＲＡＮの無線環境データを無線環境ＤＢ部１３から読み出しフォーマット変換してＲＡＮセレクター３０へ返信する。図７（２）の例では、図７（１）の問い合わせメッセージに対して、無線端末に適したＲＡＮの仮想ＭＡＣアドレスと、該ＲＡＮにおける問い合わせ座標（ｘ，ｙ）の区画での無線環境情報（ＲＳＳＩ）とを返答している。
【００５５】
上述した実施形態によれば、移動通信システムが有する複数のＲＡＮ毎に、観測対象区域を区分けして無線環境データを蓄積する無線環境ＤＢを生成する際に、無線環境変化指数に基づいて、区画サイズを更新して観測対象区域を区分けし直す。これにより、無線環境を詳細に把握したい区域では区画サイズを小さくして精細に無線環境データを蓄積することができる。一方、通常の状態である区域では区画サイズを初期値とし、無線環境データのレコード数の削減を図ることにより、記憶容量の増大によるコスト高や、無線環境データを統計処理する際の演算量の増大などを防止することができる。
【００５６】
次に、本実施形態に係る移動通信システムについて実施例を挙げて説明する。
【実施例１】
【００５７】
実施例１に係る移動通信システムは、複数のＲＡＮを有し、本実施形態に係る無線環境ＤＢ生成装置１０とＲＡＮセレクター３０とを備える。ＲＡＮセレクター３０は、無線環境ＤＢ生成装置１０が生成した無線環境ＤＢに基づいて、区画毎に、無線端末が使用するＲＡＮを選択する。
【００５８】
例えば、図８に示されるように、無線端末の利用者２１０が基地局２００から見通しのよい場所から見通しの悪いビル２２０の陰に移動することによって、利用者２１０の無線端末に到達する基地局２００からの電波が反射波及び回折波のみになると、ＲＳＳＩが急に弱くなる。すると、上記式（１）で定義される無線環境変化指数Ｖａｒｉｎｄｅｘが大きくなるので、無線環境ＤＢ生成装置１０は、利用者２１０が在る区画の区画サイズを小さくしきめ細かく無線環境データを蓄積する。これにより、当該区画に対して無線環境の調査を精細に行うことができる。この結果、ＲＡＮセレクター３０は、利用者２１０が在る区画において、利用者２１０の無線端末に適切なＲＡＮを選択することができる。
【００５９】
又、複数のＲＡＮからの電波のＲＳＳＩが同時に弱くなると、無線端末は通信不可の状態に陥る恐れがある。このようなときは、当該区画の区画サイズをより小さくし、さらにきめ細かく無線環境データを蓄積することによって、当該区画に対して無線環境の調査をより精細に行う。
【実施例２】
【００６０】
実施例２に係る移動通信システムは、実施例１の移動通信システムにおいて、無線端末に対して、ＲＡＮセレクター３０が選択したＲＡＮ以外のＲＡＮに係る無線通信手段をアイドル状態または停波状態にさせる。
【００６１】
ＲＡＮセレクター３０は、無線端末の在る区画において、当該無線端末に適したＲＡＮを無線環境ＤＢに基づいて選択する。例えば、ＲＳＳＩが一番強いＲＡＮ、又は、通信遅延時間が一番短い若しくは要求時間内に通信を行うことができるＲＡＮ、又は、スループット（セル全体、単一無線システムのセル全体、又は関連セル群におけるスループット）が一番高いＲＡＮを選択する。
【００６２】
無線端末は、ＲＡＮセレクター３０が選択したＲＡＮを利用する際、利用するＲＡＮ以外のＲＡＮに係る無線通信手段をアイドル状態または停波状態にする。これにより、無線端末の消費電力の低減を図ることができる。
【００６３】
又は、無線端末に対して、デフォルトのＲＡＮを設定し、デフォルト以外のＲＡＮに係る無線通信手段を電源オフ状態にさせておく。その後、無線環境ＤＢに基づいて無線端末に適したＲＡＮが選択された時に、選択されたＲＡＮに係る無線通信手段を電源オン状態にする。これにより、無線端末の消費電力の低減を図ることができる。
【００６４】
なお、各基地局における消費電力の低減策として、無線環境ＤＢなどからセル収容のユーザ数を把握し、セル収容のユーザ数が多い基地局ではフル性能で動作を行うが、セル収容のユーザ数が少ない基地局では性能を抑えた動作を行うことにより消費電力の削減を図ることができる。
【００６５】
以上、本発明の実施形態について図面を参照して詳述してきたが、具体的な構成はこの実施形態に限られるものではなく、本発明の要旨を逸脱しない範囲の設計変更等も含まれる。
また、図１に示す無線環境ＤＢ生成装置１０の機能を実現するためのプログラムをコンピュータ読み取り可能な記録媒体に記録して、この記録媒体に記録されたプログラムをコンピュータシステムに読み込ませ、実行することにより、無線環境ＤＢ生成処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００６６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００６７】
１…ＮＲＭ（ネットワーク再構築管理装置）、１０…無線環境データベース生成装置、１１…地図ＤＢ部、１２…データベース生成部、１３…無線環境ＤＢ部、１４…フォーマット変換部、１５…データ収集部、１６…仮想ＭＡＣデータベース部、２１…無線環境変化指数算出部、２２…区画更新部、３０…ＲＡＮセレクター
【図１】
2015070577.tif 000004
【図２】
2015070577.tif 000005
【図３】
2015070577.tif 000006
【図４】
2015070577.tif 000007
【図５】
2015070577.tif 000008
【図６】
2015070577.tif 000009
【図７】
2015070577.tif 000010
【図８】
2015070577.tif 000011
【図９】
2015070577.tif 000012